(57)【要約】      （修正有）【課題】利用者の意図しない種類の電子マネーによる取引が実行されることを抑制することが可能な自動販売機を提供する。【解決手段】複数種類の電子マネーを利用して商品の販売が可能な自動販売機において、複数種類の電子マネーに共通であって、現金情報格納媒体（ＩＣカード等）に格納された現金情報の読み書きを行うアンテナ２０と、電子マネーの種類を特定するためのタッチパネル３０とを備え、前記アンテナ２０とタッチパネル３０とを分離するとともに、片手に現金情報格納媒体を持って前記アンテナ２０に当該現金情報格納媒体をかざす際にタッチパネル３０に手が触れることがなく、かつ、前記タッチパネル３０を操作する際に前記現金情報格納媒体がアンテナ２０の交信エリアに届くことがないように互いに離隔して配設して誤動作を防止する。【選択図】図１
2011253479.tif 000002
【特許請求の範囲】
【請求項１】
複数種類の電子マネーを利用して商品の販売が可能な自動販売機において、複数種類の電子マネーに共通であって、現金情報格納媒体に格納された現金情報の読み書きを行う読み書き端末と、電子マネーの種類を特定するための種別入力手段とを備え、前記読み書き端末と種別入力手段とを分離するとともに、片手に現金情報格納媒体を持って前記読み書き端末に当該現金情報格納媒体をかざす際に前記種別入力手段に手が触れることがなく、かつ、前記種別入力手段を操作する際に前記現金情報格納媒体が読み書き端末の交信エリアに届くことがないように互いに離隔して配設したことを特徴とする自動販売機。
【請求項２】
請求項１に記載の自動販売機において、種別入力手段はタッチパネルであり、当該タッチパネルは常時は広告情報等の訴求表示情報を表示し、電子マネーが利用される際には電子マネーの種別を入力する種別選択情報を表示することを特徴とする自動販売機。
【請求項３】
請求項１または請求項２のいずれかに記載の自動販売機において、種別入力手段は商品取出口との間に読み書き端末が位置するように配置した特徴とする自動販売機。
【発明の詳細な説明】
【技術分野】
【０００１】
本発明は、複数種類の電子マネーが利用可能な自動販売機に係り、特に複数種類の電子マネーに共通の読み書き端末（アンテナ）を備えた自動販売機に関する。
【背景技術】
【０００２】
昨今ではキャッシュレスにより商品の購入を可能な一形態としてＩＣカードや携帯電話（以下、これらを現金情報格納媒体ともいう）との間で現金情報を読み書きして取引を決済する電子マネーを搭載した自動販売機が知られている。電子マネーは決済システムの相違により複数の種類が存在する一方、現金情報格納媒体との間で現金情報を読み書きする読み書き端末（アンテナ）は共通であることから、複数種類の電子マネーを自動販売機に搭載する場合、読み書き端末（アンテナ）は複数種類の電子マネーに共通のマルチ型として形成され、読み書き端末（アンテナ）の近傍に電子マネーの種類を選択して入力する種別入力手段が設けられている（例えば、特許文献１）。この特許文献１に開示された自動販売機においては種別入力手段が電子マネーの種類に対応して設けられた押しボタンとして形成されている。
【先行技術文献】
【特許文献】
【０００３】
【特許文献１】特開２００９−２０５９６０号公報
【発明の概要】
【発明が解決しようとする課題】
【０００４】
前述した特許文献１に開示された自動販売機により商品を購入する場合、利用者は希望する商品選択ボタンを押して購入意思を表した後、自身の所有する電子マネーの種類に対応する押しボタンを操作して電子マネーの種類を入力したうえで、現金情報格納媒体を読み書き端末（アンテナ）にかざすと両者の間で現金情報が授受され、取引可能と判断された際には自動販売機から商品が払出されるように構成されている。このように電子マネーの種類を入力する押しボタンを操作したうえで、現金情報格納媒体を読み書き端末（アンテナ）にかざすことにより取引が開始されるように構成されていることから、読み書き端末（アンテナ）の近傍に電子マネーの種類を入力する押しボタンが存在すると、現金情報格納媒体を読み書き端末（アンテナ）にかざす際に現金情報格納媒体を持つ手が電子マネーの種類を入力する押しボタンに当接して当該押しボタンを操作してしまうおそれがある。この場合、自身の所有する電子マネーと異なる種類の押しボタンを操作してしまった場合には取引が成立しないこととなり、利用者は所定の手順で商品の購入操作を行ったにもかかわらず商品が払出されないというトラブルを惹起することとなる。
【０００５】
また、利用者が電子マネーの種類を入力する際、多くの場合には現金情報格納媒体を掴んだ手で押しボタンを操作することから利用者の意図しない取引が行われおそれがある。すなわち、特定の種類の電子マネーが選択された状態に初期設定されている場合、例えば、電子マネーの利用状況を格納したメモリの履歴情報に基づいて当該自動販売機の設置場所で使用される電子マネーの種類の比率を算出し、特定の種類の電子マネーの比率が非常に高いか、若しくは特定の種類の電子マネーに限られときには、当該特定の種類の電子マネーを所有する利用者の利便性（当該特定の種類の電子マネーを用いる場合には電子マネーの種類を入力する押しボタンを操作しなくても取引が開始される）を考慮して、当該特定の種類の電子マネーが選択された状態に初期設定されている場合であって、利用者が特定の種類を含む複数種類の電子マネーを所有しており、かつ、特定の種類以外の電子マネーで取引を希望する場合、利用者が現金情報格納媒体を持った手で電子マネーの種類を入力しようとした際に現金情報格納媒体が読み書き端末（アンテナ）の交信エリアに進入してしまうと特定の種類の電子マネーで取引が行われ、利用者の意図しない種類の電子マネーにより決済されてしまうという課題を有する。
【０００６】
そこで、本発明は上記の点に鑑みなされたものであり、その目的は前記課題を解決し、利用者の意図しない種類の電子マネーによる取引が実行されることを抑制することが可能な自動販売機を提供することにある。
【課題を解決するための手段】
【０００７】
上記目的を達成するために請求項１に係る発明は、複数種類の電子マネーを利用して商品の販売が可能な自動販売機において、複数種類の電子マネーに共通であって、現金情報格納媒体に格納された現金情報の読み書きを行う読み書き端末と、電子マネーの種類を特定するための種別入力手段とを備え、前記読み書き端末と種別入力手段とを分離するとともに、片手に現金情報格納媒体を持って前記読み書き端末に当該現金情報格納媒体をかざす際に前記種別入力手段に手が触れることがなく、かつ、前記種別入力手段を操作する際に前記現金情報格納媒体が読み書き端末の交信エリアに届くことがないように互いに離隔して配設したことを特徴とする。
【０００８】
また、請求項２に係る発明は、請求項１に記載の自動販売機において、種別入力手段はタッチパネルであり、当該タッチパネルは常時は広告情報等を表示し、電子マネーが利用される際には電子マネーの種別を入力する押しボタンを表示することを特徴とする。
【０００９】
また、請求項３に係る発明は、請求項１または請求項２のいずれかに記載の自動販売機において、種別入力手段は商品取出口との間に読み書き端末が位置するように配置した特徴とする。
【発明の効果】
【００１０】
本発明の請求項１に係る発明は、複数種類の電子マネーを利用して商品の販売が可能な自動販売機において、複数種類の電子マネーに共通であって、現金情報格納媒体に格納された現金情報の読み書きを行う読み書き端末と、電子マネーの種類を特定するための種別入力手段とを備え、前記読み書き端末と種別入力手段とを分離するとともに、片手に現金情報格納媒体を持って前記読み書き端末に当該現金情報格納媒体をかざす際に前記種別入力手段に手が触れることがなく、かつ、前記種別入力手段を操作する際に前記現金情報格納媒体が読み書き端末の交信エリアに届くことがないように互いに離隔して配設したことにより、従来装置のように読み書き端末と種別入力手段が近接して配設されている場合、現金情報格納媒体を読み書き端末にかざす際に現金情報格納媒体を持った手が種別入力手段に当接して利用者の所有する電子マネーとは異なる種類の電子マネーが選択（入力）されると取引が成立しないこととなり、利用者は所定の手順で商品の購入操作を行ったにもかかわらず商品が払出されないというトラブルを防止することができ、また、特定の種類の電子マネーが選択された状態に初期設定されている場合であって、利用者が特定の種類を含む複数種類の電子マネーを所有しており、かつ、特定の種類以外の電子マネーで取引を希望する場合、利用者が現金情報格納媒体を持った手で電子マネーの種類を入力しようとした際に現金情報格納媒体が読み書き端末（アンテナ）の交信エリアに進入してしまうと特定の種類の電子マネーで取引が行われ、利用者の意図しない種類の電子マネーにより決済されてしまうというトラブルを防止することができるという効果を有する。
【００１１】
また、本発明の請求項２に係る発明は、請求項１に記載の自動販売機において、種別入力手段はタッチパネルであり、当該タッチパネルは常時は広告情報等を表示し、電子マネーが利用される際には電子マネーの種別を入力する押しボタンを表示することにより、種別入力手段を訴求手段として兼用することができるという効果を有する。
【００１２】
さらに、本発明の請求項３に係る発明は、請求項１または請求項２のいずれかに記載の自動販売機において、種別入力手段は商品取出口との間に読み書き端末が位置するように配置したことにより、利用者が電子マネーを利用して商品を購入する際、希望する商品選択ボタンの操作、電子マネーの種別入力操作、読み書き端末に現金情報格納媒体をかざす操作および商品取出口からの商品の取出しに係る一連の動きを一路の経路で行き来することなく行うことが可能であるという効果を有する。
【図面の簡単な説明】
【００１３】
【図１】本発明の実施の形態である自動販売機の正面図である。
【図２】図１の読み書き端末の設置状態を示す紙幣識別装置の斜視図である。
【図３】本発明の実施の形態にかかる自動販売機のブロック図である。
【図４】図１のタッチパネルの表示画面を示し、（ａ）は訴求表示情報を表示した訴求表示画面、（ｂ）は電子マネーの種類を選択入力するための種別選択情報を表示した種別入力画面である。
【図５】本発明の実施の形態にかかる自動販売機おける電子マネーを利用した商品の販売動作を説明するフローチャートである。
【発明を実施するための形態】
【００１４】
以下、本発明における実施の形態である自動販売機を図面に基づいて説明する。
図１は本発明の実施の形態である自動販売機の全体構成を示す。図において、１は外扉であり、この外扉１は前面が開放した断熱筐体として形成された本体キャビネット（図では外扉１に隠れて見えない）に開閉自在に支持された片開き式の扉である。前記本体キャビネットは底壁を挟んで上部領域の商品収納庫と下部領域の機械室に区画されている。前記底壁により区画された上部領域の商品収納庫内は断熱仕切壁により左右方向に複数の商品収納室に区分され、各商品収納室には缶入り飲料，ペットボトル飲料等の商品を収容するとともにその下端に商品選択ボタンの操作により指定された商品を搬出する商品払出機構を有する商品収納ラックが収設されている。また、商品収納ラックの下方には前下がりに傾斜した商品搬出シュートが配設され、この商品搬出シュートの背面には当該各商品収納室を冷却もしくは加熱して商品収納ラックに収容した商品を冷却・加熱する冷却／加熱ユニットが配設されている。そして、本体キャビネットの底壁により区画された下部領域の機械室には、前記冷却／加熱ユニットと冷凍サイクルを構成する冷凍機コンデンシングユニットが配設されている。なお、本体キャビネットの商品収納庫前面開口は商品搬出扉を備えた片開き式の断熱内扉により閉塞されている。
【００１５】
前記外扉１の前面の上部域には商品展示室２が設けられている。この商品展示室２は外扉１の前面に開口した窓を覆う透明パネル３と外扉１の背面側に開閉自在に支持された中扉４との間に形成されている。前記中扉４の前面には、本体キャビネットの庫内に収納した商品に対応した複数の商品見本５を左右方向に一列に並べて展示するディスプレイ台（図では後述する商品選択ボタンユニット６に隠れて見えない）が上下方向に３段取付けられている。このディスプレイ台は下面が開放した箱形に形成され、このディスプレイ台の内部に照明光源が配設されている。前記透明パネル３には、各ディスプレイ台と対峙する位置に商品選択ボタンユニット６が設けられ、商品選択ボタンユニット６は、ディスプレイ台に展示された各商品見本５に対応して左右に一列に並べて設けた商品選択ボタン７を有している。さらに外扉１の前面には、硬貨投入口８、紙幣挿入口を覆うように開閉自在に取付けられた挿入口フラッパ９、釣銭返却レバー１０、投入金額，庫内温度，販売中，準備中等の各種情報をディスプレイに表示する販売情報表示部１１、電子マネーのアンテナ（読み書き端末）２０、タッチパネル３０等を集中的に組付けてなる接客部に加えて、シリンダー錠付きのハンドルロック装置１２、硬貨返却口１３、商品取出口１４などが設けられている。なお、外扉１の背面には硬貨投入口から投入された硬貨の真偽判定を行う硬貨識別装置４２（図３参照）、紙幣挿入口に挿入された紙幣の真偽判定を行う紙幣識別装置４３（図２，図３参照）などが配設されている。
【００１６】
さて、電子マネーのアンテナ２０は、図２に示すように、紙幣識別装置４３のフロントカバー４３１の前面に配設されており、この実施の形態においては複数種類の電子マネーに共通のマルチ型として形成されている。図２において、９は挿入口フラッパであり、紙幣識別装置４３の挿入口（不図示）を覆うとともにフロントカバー４３１に軸支された上端側を支点として上下方向に開閉自在に枢支されている。前記紙幣識別装置４３は外扉１の背面側にねじにより固着され、前記フロントカバー４３１が外扉１に形成した開口を介して外扉１の表面に露出するように構成されている。前記フロントカバー４３１は挿入口フラッパ９の下縁部分から下方に向うにしたがって前方側に突出するように傾斜しており、このフロントカバー４３１の傾斜した斜面にアンテナ２０が配設されている。したがって、利用者が手に持った現金情報格納媒体をかざし易く、これによりアンテナ２０と現金情報格納媒体との間の交信が良好に行われるように構成されている。なお、アンテナ２０には後述する自動販売機の主制御部から現金情報格納媒体に格納された現金情報の読み書きを指令する信号が供給される。
【００１７】
ここで、タッチパネル３０の表示画面については後述するが、タッチパネル３０には利用者が電子マネーにより商品を購入する際に電子マネーの種類を表示する種別選択情報が表示されるように構成されており、タッチパネル３０が電子マネーの種類を選択入力する種別入力手段を構成している。したがって、利用者は電子マネーを利用して商品を購入する場合、商品選択ボタン７を操作した後、タッチパネル３０に表示された電子マネーの種類を選択入力（画面を直接タッチ）したうえで現金情報格納媒体をアンテナ２０にかざし、次いで商品取出口１４に送出された商品を取り出すという一連の手順により商品を手にすることができる。この場合、一連の手順が一路、つまり、あちこちと行き来することなく一つの経路を辿ることにより商品の購入ができれば利用者は戸惑うことがない。これを実現するため、この実施の形態の自動販売機においては、図１に示したように、タッチパネル３０は商品取出口１４との間にアンテナ２０が位置するように配設されている。この構成によって、タッチパネル３０により電子マネーの種類の選択入力する行為、現金情報格納媒体をアンテナ２０にかざす行為、商品取出口１４から商品を取り出すという一連の行為を上方位置から下方位置に向う一路で処理することができる。
【００１８】
次に、図３は本発明の実施の形態にかかる自動販売機のブロック図である。図において、４０は自動販売機の全体の制御を司る主制御部であり、各種プログラムを格納するＲＯＭ，このＲＯＭから読み出したプログラムを実行するＣＰＵ，ＣＰＵで演算する各種データを格納するＲＡＭ等からなる。前記主制御部４０には、商品選択ボタン７，入力装置（リモコン）４１，硬貨識別装置４２，紙幣識別装置４３，商品払出制御部４４，冷却／加熱制御部４５，照明灯制御部４６に加えてアンテナ２０およびタッチパネル３０が接続されている。
【００１９】
前記リモコン４１は設定用キーボードや液晶表示画面を備えてなり、キーボードにより本体キャビネット内の商品収納ラックに収納された商品の価格、本体キャビネットの庫内に左右方向に区分された複数の商品収納室を冷却室或いは加熱室として設定したり、主制御部４０のＲＡＭに格納されたメンテナンス情報を読み出して液晶表示画面に表示するものである。前記硬貨識別装置４２は硬貨投入口８（図１参照）を介して投入された硬貨の真偽並びに金種を識別し、正貨の場合には金種信号を主制御部４０に送信するとともに当該硬貨を釣銭収納筒若しくは金庫に収納し、偽貨等の場合には硬貨返却口１３（図１参照）に返却するものである。前記紙幣識別装置４３は挿入口フラッパ９を開けることにより現れる紙幣挿入口を介して挿入された紙幣の真偽並びに金種を識別し、正貨の場合には金種信号を主制御部４０に送信するとともに当該紙幣を取り込んで集積保管し、偽貨の場合には紙幣挿入口に返却するものである。前記商品払出制御部４４は商品選択ボタン７により選択された商品を収納する商品収納ラックに搭載された商品払出機構に販売信号を供給して商品払出動作を実行させるものである。前記冷却／加熱制御部４５は各商品収納室に配備された冷却／加熱ユニットを制御して各商品収納室（の商品収納ラック）に収納された商品の温度が所定の温度となるように温度制御するものである。前記照明灯制御部４６は商品展示室２（図１参照）内に配設された照明灯の点灯・消灯を制御するものである。
【００２０】
ここで、主制御部４０のＲＯＭにはタッチパネル３０に表示する表示画面が格納されている。前記タッチパネル３０に表示する表示画面の一例を図４に示す。図４の（ａ）は訴求表示情報、この例では新発売の商品を表示する訴求表示画面であり、（ｂ）は電子マネーの種類（例えば、Ｍｏｄｅ１，Ｍｏｄｅ２等で示す）を選択入力するための種別選択情報を表示した種別入力画面である。このタッチパネル２０に表示する表示画面の切り替えについては次の電子マネーを利用した商品の販売動作とともに説明する。
【００２１】
さて、主制御部４０のＲＯＭには電子マネーを利用した商品の販売動作を実行するところの図５に示すフローチャートで示したプログラムが格納されている。以下、図５のフローチャートを用いて電子マネーを利用した商品の販売動作を説明する。なお、図５のフローチャートは庫内の各商品収納室が所定（冷却若しくは加熱）の温度に保温されて商品の販売が可能な状態の場合に実行されるものである。
【００２２】
図５において、ステップＳ１では販売待機状態で貨幣（硬貨若しくは紙幣）の投入を監視し、貨幣の投入がない場合（ステップＳ１，Ｎ）には商品選択ボタン７の操作を監視する（ステップＳ２）。貨幣の投入、商品選択ボタン７の操作がない場合（ステップＳ２，Ｎ）にはタッチパネル３０の表示画面を格納したＲＯＭから図４の（ａ）に示した訴求表示画面を読み出してタッチパネル３０に表示する（ステップＳ３）。ステップＳ１において貨幣の投入が検知された際（ステップＳ１，Ｙ）にはステップＳ４により通常販売動作のルーチンにジャンプする。貨幣の投入がない状態（ステップＳ１，Ｎ）で商品選択ボタン７が操作された際（ステップＳ２，Ｙ）にはステップＳ５においてタッチパネル３０の表示を訴求表示画面から図４の（ｂ）に示した種別入力画面に切り替えたうえでタッチパネル３０からの選択入力を待つ（ステップＳ６）。タッチパネル３０に表示された種別入力画面に基づいて利用者がタッチパネル３０を直接操作して電子マネーの種類（例えば、Ｍｏｄｅ１）を選択入力（ステップＳ６，Ｙ）するとステップＳ６から「Ｍｏｄｅ１」にかかるシステムのステップＳ１０以下のルーチンにジャンプする。
【００２３】
電子マネーの種類、例えば、「Ｍｏｄｅ１」にかかるシステムのステップＳ１０ではアンテナ２０を起動して現金情報格納媒体との交信を準備し、ステップＳ１１においてアンテナ２０から現金情報格納媒体に格納された現金情報ＣＳを読み込む。次いで、ステップＳ１２においては読み取った現金情報ＣＳと商品選択ボタン７により指定された商品価格ＳＰとを比較して販売が可能（現金情報ＣＳ≧商品価格ＳＰ）な場合（ステップＳ１２，Ｙ）には取引を開始する（ステップＳ１３）。そして、ステップＳ１４において残高情報（ＣＳ−ＳＰ）を、アンテナ２０を介して現金情報格納媒体に書き込んだうえでステップＳ１６にジャンプする。ステップＳ１６においては商品の販売動作を実行して商品の販売動作が終了する。前記ステップＳ１２において販売が不可（現金情報ＣＳ＜商品価格ＳＰ）の場合（ステップＳ１２，Ｎ）には取引を中止してステップＳ１５において読み取った現金情報を、アンテナ２０を介して現金情報格納媒体に書き込んだうえでステップＳ１にジャンプする。この場合、現金情報格納媒体に格納された残高が選択された商品の価格に足りない旨をタッチパネル３０に表示してもよい。なお、「Ｍｏｄｅ１」とは種類の異なる電子マネーの「Ｍｏｄｅ２」，「Ｍｏｄｅｎ」にかかるシステムのステップＳ２０，Ｓ３０のルーチンにはステップＳ１１〜Ｓ１５と同様のプログラムを備えているが、図５では省略している。
【００２４】
なお、上記実施の形態の自動販売機においては、電子マネーのアンテナ２０を紙幣識別装置４３のフロントカバー４３１に配設して接客部を集中させたものについて説明したが、これに限るものではなく紙幣識別装置４３からアンテナ２０を切り離して配設することもできる。
【００２５】
前述したとおり本発明によれば、複数種類の電子マネーを利用して商品の販売が可能な自動販売機において、複数種類の電子マネーに共通であって、現金情報格納媒体に格納された現金情報の読み書きを行う読み書き端末（アンテナ２０）と、電子マネーの種類を特定するための種別入力手段（タッチパネル３０）とを備え、前記読み書き端末（アンテナ２０）と種別入力手段（タッチパネル３０）とを分離するとともに、片手に現金情報格納媒体を持って前記読み書き端末（アンテナ２０）に当該現金情報格納媒体をかざす際に前記種別入力手段（タッチパネル３０）に手が触れることがなく、かつ、前記種別入力手段（タッチパネル３０）を操作する際に前記現金情報格納媒体が読み書き端末（アンテナ２０）の交信エリアに届くことがないように互いに離隔して配設したことにより、従来装置のように読み書き端末（アンテナ２０）と種別入力手段（タッチパネル３０）が近接して配設されている場合、現金情報格納媒体を読み書き端末（アンテナ２０）にかざす際に現金情報格納媒体を持った手が種別入力手段（タッチパネル３０）に当接して利用者の所有する電子マネーとは異なる種類の電子マネーが選択（入力）されると取引が成立しないこととなり、利用者は所定の手順で商品の購入操作を行ったにもかかわらず商品が払出されないというトラブルを防止することができ、また、特定の種類の電子マネーが選択された状態に初期設定されている場合であって、利用者が特定の種類を含む複数種類の電子マネーを所有しており、かつ、特定の種類以外の電子マネーで取引を希望する場合、利用者が現金情報格納媒体を持った手で電子マネーの種類を入力しようとした際に現金情報格納媒体が読み書き端末（アンテナ２０）の交信エリアに進入してしまうと特定の種類の電子マネーで取引が行われ、利用者の意図しない種類の電子マネーにより決済されてしまうというトラブルを防止することができるという効果を有する。
【符号の説明】
【００２６】
１…外扉、２…商品展示室、３…透明パネル、５…商品見本、６…商品選択ボタンユニット、７…商品選択ボタン、２０…読み書き端末（アンテナ）、３０…タッチパネル（種別入力手段）、４２…硬貨識別装置、４３…紙幣識別装置、４４…商品払出制御部、４５…冷却／加熱ユニット、４６…照明灯制御部。 
【図１】
2011253479.tif 000003
【図２】
2011253479.tif 000004
【図３】
2011253479.tif 000005
【図４】
2011253479.tif 000006
【図５】
2011253479.tif 000007